(57)【要約】【課題】殺菌された液体の適切な利用をユーザに促すことができる殺菌容器を提供する。【解決手段】殺菌容器は、内部に注液するための開口部１１を有し、かつ、液体が貯められる容器部１０と、開口部１１を塞ぐための、容器部１０に着脱可能な蓋部３０と、容器部１０の内部に配置され、容器部１０に貯められる液体に紫外線を照射することで、液体を殺菌する紫外線光源部４０と、紫外線光源部４０の点灯及び消灯を制御する駆動回路部６０と、複数の発光素子７１〜７４とを備え、複数の発光素子７１〜７４は、各々の点消灯の態様の組み合わせによって、紫外線光源部４０による液体の殺菌状態に関する殺菌情報、及び、紫外線光源部４０の寿命に関する寿命情報を含む複数の情報を表示する。【選択図】図１１
2017159246.tif 000002
【特許請求の範囲】
【請求項１】
内部に注液するための開口部を有し、かつ、液体が貯められる容器部と、
前記開口部を塞ぐための、前記容器部に着脱可能な蓋部と、
前記容器部の内部に配置され、前記容器部に貯められる液体に紫外線を照射することで、前記液体を殺菌する紫外線光源部と、
前記紫外線光源部の点灯及び消灯を制御する駆動回路部と、
複数の発光素子とを備え、
前記複数の発光素子は、各々の点消灯の態様の組み合わせによって、前記紫外線光源部による前記液体の殺菌状態に関する殺菌情報、及び、前記紫外線光源部の寿命に関する寿命情報を含む複数の情報を表示する
殺菌容器。
【請求項２】
前記複数の情報は、さらに、前記蓋部による前記開口部の開閉状態に関する開閉情報を含んでいる
請求項１に記載の殺菌容器。
【請求項３】
前記複数の発光素子は、前記蓋部を前記容器部に取り付けたときに、前記開閉情報を表示する
請求項２に記載の殺菌容器。
【請求項４】
前記複数の情報は、さらに、前記紫外線光源部の動作状態に関する動作情報を含んでいる
請求項１又は２に記載の殺菌容器。
【請求項５】
前記複数の発光素子は、電源スイッチが押されたときに、前記動作情報を表示する
請求項４に記載の殺菌容器。
【請求項６】
前記寿命情報は、
前記紫外線光源部の使用回数が予め定められた第１回数より多いことを示す情報と、
前記紫外線光源部の使用回数が、前記第１回数より少ない第２回数以上、前記第１回数以下であることを示す情報とを含んでいる
請求項１〜５のいずれか１項に記載の殺菌容器。
【請求項７】
前記複数の発光素子は、外部から前記駆動回路部に電力が供給されたときに、前記寿命情報を表示する
請求項１〜６のいずれか１項に記載の殺菌容器。
【請求項８】
前記複数の情報は、さらに、外部から前記駆動回路部に供給される電力に関する電力情報を含んでいる
請求項１〜７のいずれか１項に記載の殺菌容器。
【請求項９】
前記複数の発光素子は、外部電源と前記殺菌容器とがプラグを介して接続されたときに、前記電力情報を表示する
請求項８に記載の殺菌容器。
【請求項１０】
前記殺菌情報は、
前記液体が未殺菌であることを示す情報と、
前記液体を殺菌中であることを示す情報と、
前記液体が殺菌済みであることを示す情報とを含んでいる
請求項１〜９のいずれか１項に記載の殺菌容器。
【請求項１１】
前記複数の発光素子は、発光波長が互いに異なる第１発光素子及び第２発光素子を含んでいる
請求項１〜１０のいずれか１項に記載の殺菌容器。
【請求項１２】
さらに、
前記複数の発光素子の各々の点消灯の態様の組み合わせと、当該組み合わせが意味する前記複数の情報とを対応付けて表示する、前記容器部又は前記蓋部の外側面に付された情報表示部を備える
請求項１〜１１のいずれか１項に記載の殺菌容器。
【請求項１３】
さらに、
前記容器部に貯められた液体を供給するための供給栓部を備える
請求項１〜１２のいずれか１項に記載の殺菌容器。
【請求項１４】
前記開口部は、飲用口を兼ねる
請求項１〜１２のいずれか１項に記載の殺菌容器。
【発明の詳細な説明】
【技術分野】
【０００１】
本発明は、液体の殺菌機能を有する殺菌容器に関する。
【背景技術】
【０００２】
従来、家庭に配水されている水道水などを、紫外線によって殺菌してから飲用水として用いるということが行われている。これは、たとえ水道水であっても、マイクロコッカス菌又は大腸菌などの細菌が混入している場合があるためである。特に、発展途上国などにおいては、家庭用の水道水であっても充分に殺菌処理が行われていない場合、あるいは、配水途中で細菌が混入する場合がある。
【０００３】
家庭でも使用できる水殺菌装置としては、水道からの原水を濾過フィルタに通した後、流れる濾過水に紫外線を照射して殺菌し、殺菌後の水をタンクなどに貯水する技術が知られている（例えば、特許文献１参照）。タンクには、給水口（蛇口）が取り付けられており、当該給水口から給水して飲用水又は料理用の水として利用することができる。
【先行技術文献】
【特許文献】
【０００４】
【特許文献１】特開２００５−２１１８５１号公報
【発明の概要】
【発明が解決しようとする課題】
【０００５】
ところで、紫外線を照射して殺菌を行う場合には、紫外線は人体に悪影響を及ぼすため、紫外線を直接目視などによって確認することができない。このため、故障又は人為的なミス（スイッチの入れ忘れなど）によって、ユーザが誤って未殺菌の水を利用してしまう恐れがある。
【０００６】
そこで、本発明は、殺菌された液体の適切な利用をユーザに促すことができる殺菌容器を提供することを目的とする。
【課題を解決するための手段】
【０００７】
上記目的を達成するため、本発明の一態様に係る殺菌容器は、内部に注液するための開口部を有し、かつ、液体が貯められる容器部と、前記開口部を塞ぐための、前記容器部に着脱可能な蓋部と、前記容器部の内部に配置され、前記容器部に貯められる液体に紫外線を照射することで、前記液体を殺菌する紫外線光源部と、前記紫外線光源部の点灯及び消灯を制御する駆動回路部と、複数の発光素子とを備え、前記複数の発光素子は、各々の点消灯の態様の組み合わせによって、前記紫外線光源部による前記液体の殺菌状態に関する殺菌情報、及び、前記紫外線光源部の寿命に関する寿命情報を含む複数の情報を表示する。
【発明の効果】
【０００８】
本発明に係る殺菌容器によれば、殺菌された液体の適切な利用をユーザに促すことができる。
【図面の簡単な説明】
【０００９】
【図１】実施の形態１に係る給水器の概観斜視図である。
【図２】実施の形態１に係る給水器の上面図である。
【図３】図２のＩＩＩ−ＩＩＩ線における実施の形態１に係る給水器の断面図である。
【図４】実施の形態１に係る容器部の概観斜視図である。
【図５】実施の形態１に係る蓋部の概観斜視図である。
【図６】実施の形態１に係る駆動回路部の概観斜視図である。
【図７】実施の形態１に係る駆動回路部の側面図である。
【図８】実施の形態１に係る駆動回路部の正面図である。
【図９】実施の形態１に係る給水器の駆動回路部の近傍を示す拡大断面図である。
【図１０】図９のＸ−Ｘ線における基板及び押さえ金具の断面を示す断面図である。
【図１１】実施の形態１に係る複数の発光素子の点消灯の態様と、給水器の状態との対応関係を示す図である。
【図１２】実施の形態１に係る複数の発光素子の点消灯の態様と、紫外線光源部の寿命との関係を示す図である。
【図１３】図３の破線ＸＩＩＩで囲まれた部分を拡大して示す実施の形態１に係る給水器の断面図である。
【図１４】実施の形態１に係る給水器の窓部を通過する光の一例を示す図である。
【図１５】変形例１に係る給水器の概観斜視図である。
【図１６】変形例２に係る給水器の断面図である。
【図１７】図１６の破線ＸＶＩＩで囲まれた部分を拡大して示す変形例２に係る給水器の断面図である。
【図１８】変形例２に係るシャッター部が開けられた状態の窓部を示す断面図である。
【図１９】実施の形態２に係る蓋付きマグの概観斜視図である。
【図２０】実施の形態２に係る蓋付きマグの蓋部を取り外した様子を示す概観斜視図である。
【発明を実施するための形態】
【００１０】
以下では、本発明の実施の形態に係る殺菌容器について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１２】
（実施の形態１）
［概要］
まず、本実施の形態に係る給水器の概要について、図１〜図３を用いて説明する。
【００１３】
図１は、本実施の形態に係る給水器１の概観斜視図である。図２は、本実施の形態に係る給水器１の上面図である。図３は、図２のＩＩＩ−ＩＩＩ線における本実施の形態に係る給水器１の断面図である。また、各図において、給水器１の左右方向をｘ軸方向、前後方向をｙ軸方向、上下方向をｚ軸方向とする。
【００１４】
本実施の形態に係る給水器１は、液体を殺菌し、殺菌した液体を貯める殺菌容器の一例である。給水器１は、例えば、飲用水又は料理用水などの水をユーザに提供（給水）する。具体的には、給水器１は、水道水、井戸水、湧き水、雨水などの水（以下、「未殺菌水」と記載する）に紫外線（ＵＶ光）を照射することで殺菌する。給水器１は、殺菌後の水（以下、「殺菌水」と記載する）を飲用水などとして提供する。
【００１５】
本実施の形態に係る給水器１は、図１に示すように、いわゆるウォータージャグと呼ばれる、小型、かつ、軽量であり、持ち運び可能な給水器である。給水器１は、例えば、家庭などに設置され、あるいは、屋外に運ばれて用いられてもよい。
【００１６】
図１〜図３に示すように、給水器１は、容器部１０と、給水栓部２０と、蓋部３０と、紫外線光源部４０と、開閉センサ部５０（図４及び図５を参照）と、駆動回路部６０と、インジケータ７０と、窓部８０と、表示パネル９０とを備える。
【００１７】
以下では、本実施の形態に係る給水器１が備える構成要素について、図１〜図３を適宜参照しながら詳細に説明する。
【００１８】
［容器部］
図４は、本実施の形態に係る容器部１０を示す概観斜視図である。
【００１９】
図４に示すように、容器部１０は、内部に液体が貯められる容器部である。容器部１０は、内部に注液するための開口部１１を有する。液体は、具体的には、水道水などの水であるが、お茶又はジュースなどの飲料水でもよい。例えば、容器部１０には、開口部１１を介して未殺菌水が注入され、注入された未殺菌水が貯められる。貯められた未殺菌水は、図３に示す紫外線光源部４０によって紫外線が照射された後、給水栓部２０を介して外部に給水（排出）される。
【００２０】
図４に示すように、容器部１０の底部近傍の側面には、孔部１２が設けられている。孔部１２には、給水栓部２０が取り付けられる。給水栓部２０が操作された場合に、容器部１０に貯められた液体は、孔部１２を介して外部に給水される。
【００２１】
容器部１０の容量は、例えば、６Ｌ（リットル）〜１０Ｌであるが、これに限らない。容器部１０の形状は、図４に示すように、有底略円筒形状であるが、これに限らない。容器部１０の形状は、有底角筒形状でもよく、あるいは、開口部１１が底部より小さい形状（いわゆるボトル状）でもよい。
【００２２】
本実施の形態では、容器部１０は、保温機能を有する。具体的には、容器部１０は、内側容器と外側容器との二重構造を有する。内側容器と外側容器との間は、真空などの減圧された空間である。これにより、内側容器と外側容器との間で熱伝導が抑制され、内部に貯められる液体の温度を保つことができる。
【００２３】
容器部１０の内面は、金属で覆われている。具体的には、容器部１０の内側容器は、ステンレス又はアルミニウムなどの金属材料を用いて形成されている。これにより、容器部１０の内面で紫外線光源部４０が発する紫外線を反射させることができるので、効率良く液体を殺菌することができる。なお、容器部１０の外側容器は、例えば、ポリプロピレン（ＰＰ）などの樹脂材料から形成される。
【００２４】
なお、容器部１０は、保温機能を有していなくてもよく、二重構造を有していなくてもよい。また、容器部１０は、樹脂材料を用いて形成されて、その内面がめっき処理などによって金属材料で覆われていてもよい。
【００２５】
本実施の形態では、開口部１１は、図１に示すように、蓋部３０によって塞がれる。開口部１１の平面視形状（上面視形状）は、略円形である。これにより、蓋部３０を回動させてねじ締めすることで、開口部１１を蓋部３０によって塞ぐことができる。容器部１０の開口部１１の近傍には、図４に示すように、容器側センサ５２（開閉センサ部５０）が設けられている。
【００２６】
なお、蓋部３０が開口部１１を塞ぐ方法は、ねじ式に限らない。例えば、開口部１１及び蓋部３０にそれぞれ係合する凹部又は凸部を設けてもよい。例えば、凹部を凸部にはめ込むことで、開口部１１を蓋部３０によって塞いでもよい。また、単に塞ぐだけであるならば、特にロックさせる機構を設けなくてもよい。
【００２７】
［給水栓部］
給水栓部２０は、容器部１０に貯められた液体を供給するための供給栓部の一例である。具体的には、給水栓部２０は、操作レバーを備える。操作レバーは、例えば、押下式、引上式、又は、回動式のレバーである。操作レバーが操作されたとき、給水栓部２０は、容器部１０に貯水された水を供給し、あるいは、給水を停止する。
【００２８】
給水栓部２０は、例えば、容器部１０の底部近傍の側面部に取り付けられている。具体的には、給水栓部２０は、容器部１０の孔部１２に接続されている。給水栓部２０は、例えば、ポリプロピレン（ＰＰ）などの樹脂材料から形成される。
【００２９】
なお、給水栓部２０が設けられる位置は、容器部１０の底部近傍に限らない。例えば、給水栓部２０は、給湯ポットなどのように、容器部１０の上部に設けられていてもよい。
【００３０】
［蓋部（蓋）］
図５は、本実施の形態に係る蓋部３０の概観斜視図である。
【００３１】
蓋部３０は、開口部１１を塞ぐための着脱可能な蓋である。本実施の形態では、図５に示すように、蓋部３０の裏面には、紫外線光源部４０が取り付けられている。蓋部３０の内部には、開閉センサ部５０（蓋側センサ５１）が配置されている。また、図３に示すように、蓋部３０の内部には、駆動回路部６０が配置されている。
【００３２】
図３及び図５に示すように、蓋部３０は、表面部３１と、裏面部３２と、金属板３３とを備える。
【００３３】
表面部３１は、蓋部３０の表（おもて）面側の部分であり、図３に示すように、蓋部３０が閉じられた場合には、開口部１１を覆う。表面部３１は、例えば、裏面（下面）側が開放され、表面（上面）側が底に相当する扁平な有底略円筒形状の筐体である。表面部３１の下面側には、内部に駆動回路部６０を配置するための空間を形成するように、裏面部３２が接続されている。表面部３１は、例えば、ポリプロピレン（ＰＰ）などの樹脂材料から形成される。
【００３４】
裏面部３２は、蓋部３０の裏面側の部分であり、図３に示すように、蓋部３０が閉じられた場合には、開口部１１に蓋をする。裏面部３２は、例えば、表面（上面）側が開放され、裏面（下面）側が底に相当する扁平な有底略円筒状の筐体である。本実施の形態では、裏面部３２の裏面（下面）を貫通するように、紫外線光源部４０が設けられている。裏面部３２は、例えば、ポリプロピレン（ＰＰ）などの樹脂材料から形成されている。
【００３５】
金属板３３は、蓋部３０の裏面（下面）を覆うように設けられた金属部材である。金属板３３は、例えば、ステンレスなどの金属材料から形成される。これにより、紫外線光源部４０が発する紫外線を容器部１０の内部に向けて反射することができる。
【００３６】
なお、裏面部３２の下面に金属板３３を設ける代わりに、裏面部３２自体が、金属材料から形成されてもよい。
【００３７】
本実施の形態では、蓋部３０は、ねじ式の蓋である。つまり、蓋部３０を容器部１０に対して回動させることで、蓋部３０は、開口部１１を塞ぐことができる。
【００３８】
蓋部３０は、開口部１１を塞ぐことで、容器部１０の内部（水が貯められる空間）を密閉する。なお、本実施の形態では、蓋部３０が開口部１１を塞ぐことを、蓋部３０を閉じると記載する場合がある。
【００３９】
具体的には、「蓋部３０を閉じる」とは、容器部１０の内部から光が直接漏れない状態にすることである。つまり、蓋部３０が閉じられた状態では、蓋部３０と容器部１０との間には隙間が形成されておらず、容器部１０の内部から外部に光が漏れない。なお、本実施の形態では、給水器１は、窓部８０を備えており、窓部８０を介して一部の光は容器部１０の外部に放出される。また、蓋部３０が閉じられた状態では、容器部１０の内部に貯められた水が開口部１１を介して外部に漏れ出ないことが好ましい。
【００４０】
蓋部３０が「開けられた状態」とは、蓋部３０が閉じられていない状態である。例えば、蓋部３０が開けられた状態では、容器部１０の内部から光が漏れ出る、すなわち、容器部１０の内部を外部から視認可能な状態である。
【００４１】
なお、図示しないが、蓋部３０には、プラグの差込口が設けられている。当該差込口にプラグが接続されることで、駆動回路部６０には、紫外線光源部４０及びインジケータ７０を動作させるための電力が供給される。なお、蓋部３０には、差込口の代わりに、又は、差込口に加えてバッテリーが設けられていてもよい。
【００４２】
［紫外線光源部］
紫外線光源部４０は、容器部１０の内部に配置され、容器部１０に貯められる液体に紫外線を照射することで、当該液体を殺菌する。照射する紫外線は、例えば、２００ｎｍ〜４００ｎｍの範囲にピーク波長を有する紫外線である。本実施の形態では、紫外線光源部４０は、一例として、ピーク波長が２５３．７ｎｍの紫外線を照射する。
【００４３】
紫外線光源部４０は、蓋部３０の裏面に取り付けられている。具体的には、紫外線光源部４０は、蓋部３０（裏面部３２）の裏面を貫通するように設けられている。
【００４４】
紫外線光源部４０は、図３及び図５に示すように、ランプ４１と、カバー４２とを備える。
【００４５】
ランプ４１は、外部から電力を受けて紫外線を発する。ランプ４１は、例えば、紫外線を発する水銀灯である。例えば、ランプ４１としては、内部に水銀蒸気などが封止されたガラス管を有する低圧水銀蒸気放電ランプを用いることができる。なお、ランプ４１に替えて、紫外線を発するＬＥＤ（Ｌｉｇｈｔ  Ｅｍｉｔｔｉｎｇ  Ｄｉｏｄｅ）を用いてもよい。図３に示すように、ランプ４１の給電部は、裏面部３２内に設けられており、駆動回路部６０に接続されたコネクタ（図示せず）に接続されている。ランプ４１は、例えば、６Ｗの消費電力で３分間照射することにより、約８Ｌの水を殺菌することができる。例えば、６Ｗの消費電力で紫外線を３分間照射することにより、８Ｌの水に含まれるマイクロコッカス菌を９９．９％殺菌することができた。
【００４６】
図３及び図５に示すように、ランプ４１の形状は、直管状である。ランプ４１は、例えば、ランプ４１の長軸方向が蓋部３０の裏面に直交するように（すなわち、ｚ軸方向に平行に）設けられている。具体的には、ランプ４１は、蓋部３０の裏面のうち、平面視における中心近傍に立設するように設けられている。ランプ４１は、蓋部３０の開け閉め際の回動の軸に沿って設けられている。ランプ４１の先端（下方端）は、容器部１０の底部の近傍に位置している。例えば、図３に示すように、ランプ４１の先端と給水栓部２０（孔部１２）とは略同じ高さに位置する。これにより、容器部１０に貯められた水に、直接、かつ、略均等に紫外線を照射することができる。
【００４７】
なお、ランプ４１は、紫外線だけでなく、弱い青色光も発する。当該青色光は、窓部８０を介して外部に出射される。これにより、給水器１のユーザは、窓部８０を見ることで、紫外線が照射されているか否かを判断することができる。なお、紫外線を放射するＬＥＤからの光も青く見える。
【００４８】
カバー４２は、ランプ４１の破損を防止するためのカバーである。カバー４２は、例えば、蓋部３０を机又は床などに置いた場合に、ランプ４１が机又は床に直接接触するのを抑制する。
【００４９】
カバー４２は、ランプ４１を囲むように設けられている。具体的には、カバー４２は、立体格子形状を有し、当該立体格子の内部にランプ４１が配置されている。カバー４２は、例えば、ステンレスなどの金属材料から形成される。
【００５０】
ランプ４１及びカバー４２は、容器部１０に水が貯められた場合に、貯められた水に浸かる。例えば、規定の水量（例えば８Ｌ）の水が貯められた場合に、ランプ４１は、少なくとも半分以上が浸水する。このため、ランプ４１及びカバー４２は、防水性を有することが好ましい。
【００５１】
なお、紫外線光源部４０が紫外線を照射する際には、給水器１は、通常、机又は床などの上に設置されて固定されている。したがって、容器部１０に貯められた水は、動水（流水）ではなく、静水である。紫外線光源部４０は、静水に紫外線を照射するので、短期間で充分に殺菌することができる。
【００５２】
［開閉センサ部］
開閉センサ部５０は、開口部１１が蓋部３０によって塞がれているか否かを検知する。つまり、開閉センサ部５０は、蓋部３０が閉じられた状態であるか、開けられた状態であるかを検知する。
【００５３】
開閉センサ部５０は、図４及び図５に示すように、蓋側センサ５１と、容器側センサ５２とを備える。蓋側センサ５１は、例えば、蓋部３０に内蔵されている。容器側センサ５２は、例えば、容器部１０に内蔵されている。
【００５４】
本実施の形態では、蓋側センサ５１と容器側センサ５２とは、蓋部３０が閉じられた場合に近接するように設けられている。例えば、蓋側センサ５１と容器側センサ５２とは、蓋部３０が閉じられた場合に、上面視において重複する。
【００５５】
開閉センサ部５０は、例えば、磁気センサである。蓋側センサ５１は、例えば、リードスイッチを有し、駆動回路部６０に電気的に接続されている。容器側センサ５２は、例えば、永久磁石などの磁石である。蓋部３０が閉じられた場合に、蓋側センサ５１のリードスイッチが導通し、電流が流れる。蓋側センサ５１は、当該電流を検知信号として駆動回路部６０に出力する。
【００５６】
なお、開閉センサ部５０の構成は、一例であって、これに限らない。例えば、蓋側センサ５１は、コイルを有し、容器側センサ５２に近接したときに流れる電流を検知信号として駆動回路部６０に出力してもよい。
【００５７】
［駆動回路部］
駆動回路部６０は、紫外線光源部４０の点灯及び消灯を制御する。具体的には、駆動回路部６０は、紫外線光源部４０を点灯するタイミング及び消灯するタイミングを制御する。なお、駆動回路部６０は、紫外線光源部４０が放射する紫外線の強度、又は、紫外線を照射する期間を変更する制御を行ってもよい。
【００５８】
本実施の形態では、駆動回路部６０は、紫外線光源部４０の点灯が可能な点灯可能モードと、紫外線光源部４０の点灯が禁止されている点灯禁止モードとを実行する。点灯可能モードでは、表示パネル９０の電源スイッチ９１が押されたときに、駆動回路部６０は、紫外線光源部４０の点灯を行う。点灯禁止モードでは、電源スイッチ９１が押されたとしても、駆動回路部６０は、紫外線光源部４０の点灯を行わない。駆動回路部６０は、点灯可能モードと点灯禁止モードとを、開閉センサ部５０による検知結果に基づいて切り替える。
【００５９】
具体的には、駆動回路部６０は、開口部１１が塞がれていることを開閉センサ部５０によって検知されない場合に、紫外線光源部４０の点灯を禁止する。つまり、駆動回路部６０は、蓋部３０が開けられた状態では、点灯禁止モードを実行する。具体的には、紫外線光源部４０への電力の供給を禁止する。また、駆動回路部６０は、蓋部３０が閉じられた状態でのみ、点灯可能モードを実行する。具体的には、駆動回路部６０は、紫外線光源部４０への電力の供給を行うことができる。また、紫外線光源部４０の点灯中に、蓋部３０が開けられた場合、駆動回路部６０は、紫外線光源部４０を消灯し、点灯禁止モードに移行する。
【００６０】
本実施の形態では、例えば、駆動回路部６０は、点灯可能モードで電源スイッチ９１が押されたとき、予め設定された期間（以下、「設定時間」と記載する）、紫外線光源部４０のランプ４１を点灯させる。設定時間は、例えば、３分間であるが、これに限定されない。
【００６１】
また、駆動回路部６０は、インジケータ７０の動作を制御する表示制御回路も含んでいる。表示制御回路は、給水器１の状態に応じて、インジケータ７０の点灯表示を制御する。表示制御回路は、例えば、ランプ４１の使用回数（点灯回数）をカウントし、カウントした使用回数を記憶するカウンタ回路を有する。また、例えば、表示制御回路は、外部電源と給水器１とがプラグを介して接続されたときに、外部から駆動回路部６０に供給される電力が所定の範囲内にあるか否かを判定する。具体的には、表示制御回路は、供給される電力がランプ４１の点灯に使用可能な範囲内にあるか否かを判定する。
【００６２】
図６〜図８はそれぞれ、本実施の形態に係る駆動回路部６０の概観斜視図、側面図及び正面図である。駆動回路部６０は、図７に示すように、基板６１と、１以上の回路部品６２とを備える。なお、図３、図６及び図８などには、１以上の回路部品６２を示していない。
【００６３】
基板６１は、図３に示すように、蓋部３０の内部に配置されている。基板６１は、一方の面（半田面）に銅箔などの金属配線がパターニングされたプリント基板（ＰＣＢ基板）である。基板６１にパターニングされた金属配線によって、１以上の回路部品６２が電気的に接続されている。金属配線は、リード線などのケーブルによって紫外線光源部４０のランプ４１に電気的に接続されている。
【００６４】
図６及び図８に示すように、基板６１は、メイン実装部６１ａと、サブ実装部６１ｂとを有する。メイン実装部６１ａは、上側の２つの角が略円弧になる略長方形状の平面視形状を有する平板部である。メイン実装部６１ａには、紫外線光源部４０を点灯させるためのマイコン、インバータなどの主たる回路部品６２が実装されている。１以上の回路部品６２には、マイコン（マイクロコントローラ又はマイクロコンピュータ）、インバータ、抵抗素子、キャパシタ、インダクタ、整流素子などが含まれる。
【００６５】
サブ実装部６１ｂは、メイン実装部６１ａの上側端面から上方に突出するように設けられた略矩形の平板部である。サブ実装部６１ｂは、２つの凹部によって分けられたスイッチ実装部６１ｃ、第１ＬＥＤ実装部６１ｄ及び第２ＬＥＤ実装部６１ｅを有する。本実施の形態では、スイッチ実装部６１ｃは、第１ＬＥＤ実装部６１ｄと第２ＬＥＤ実装部６１ｅとの間に設けられている。
【００６６】
スイッチ実装部６１ｃは、スイッチ素子６３が実装される部分である。スイッチ素子６３は、回路部品６２の１つであり、紫外線光源部４０の点灯を開始させるための押下操作型のスイッチ素子である。スイッチ素子６３は、図７に示すように、本体６３ａと、被押下部６３ｂとを有する。被押下部６３ｂが本体６３ａに向かって下方に押し下げられたときに、スイッチ素子６３は、ランプ４１の点灯開始のための制御信号を出力する。具体的には、被押下部６３ｂは、表示パネル９０の電源スイッチ９１が押されたときに連動して下方に押し下げられる。
【００６７】
本実施の形態では、図７に示すように、スイッチ素子６３は、被押下部６３ｂが基板６１の上端より上方に突出するように配置されている。これにより、上方から力を加えて被押下部６３ｂを容易に下方に押し下げることができる。
【００６８】
第１ＬＥＤ実装部６１ｄは、２つの発光素子７１及び７２が実装される部分である。２つの発光素子７１及び７２は、インジケータ７０の一部である。２つの発光素子７１及び７２は、基板６１の上端に沿って配置され、上方に向けて光を発する固体発光素子の一例である。
【００６９】
第２ＬＥＤ実装部６１ｅは、２つの発光素子７３及び７４が実装される部分である。２つの発光素子７３及び７４は、インジケータ７０の一部である。２つの発光素子７３及び７４は、基板６１の上端に沿って配置され、上方に向けて光を発する固体発光素子の一例である。
【００７０】
本実施の形態では、図７に示すように、４つの発光素子７１〜７４が実装された面は、スイッチ素子６３が実装された面の反対側の面である。４つの発光素子７１〜７４は、図２に示すように、上面視において直線上に配置されている。
【００７１】
本実施の形態では、基板６１は、蓋部３０が容器部１０に取り付けられた場合に、容器部１０の底面に対して傾斜している。具体的には、基板６１は、蓋部３０が容器部１０に取り付けられた場合に、容器部１０の底面に直交する方向に沿って配置されている。
【００７２】
例えば、給水器１が水平面に容器部１０の底面を載置した場合、基板６１は、水平面に対して傾斜している。例えば、基板６１は、水平面に対して４５°以上の傾斜角で傾斜している。これにより、水などの液体が基板６１に付着した場合でも、傾斜に沿って液体が流れるので、液体による回路のショート（短絡）を抑えることができる。
【００７３】
本実施の形態では、基板６１は、水平面に対して略直角に（すなわち、鉛直方向に沿って）配置されている（縦置き）。これにより、蓋部３０の上面から液体が蓋部３０の内部に浸入した場合であっても、基板６１が縦置きに配置されているので、液体が落下する際に基板６１に当たりにくい。したがって、液体による回路のショートを抑えることができる。
【００７４】
本実施の形態では、図９に示すように、基板６１は、蓋部３０の上側内面に固定されている。図９は、本実施の形態に係る給水器１の駆動回路部６０の近傍を示す拡大断面図である。具体的には、図９は、図８のＩＸ−ＩＸ線に相当する断面を示している。
【００７５】
図９に示すように、蓋部３０の表面部３１は、複数のボス３４を有する。複数のボス３４の各々は、表面部３１の内面から下方に突出して設けられ、先端にネジ穴３４ａが設けられている。
【００７６】
基板６１のメイン実装部６１ａには、図８に示すように、２つの貫通孔６１ｆが設けられている。２つの貫通孔６１ｆの各々には、図９及び図１０に示すように、押さえ金具６４が挿入される。ここで、図１０は、図９のＸ−Ｘ線における基板６１及び押さえ金具６４の断面を示す断面図である。なお、説明を分かりやすくするため、図１０には、基板６１及び押さえ金具６４以外の構成を示していない。
【００７７】
押さえ金具６４は、例えば、２つのネジ孔６４ａを有する８の字状の押さえ金具である。あるいは、押さえ金具６４は、両端にネジ孔が形成された板状の金属部材でもよい。
【００７８】
押さえ金具６４を貫通孔６１ｆに挿入し、図９に示すように、ネジ６５を押さえ金具６４のネジ孔６４ａ及びボス３４のネジ穴３４ａに挿入してねじ込むことで、基板６１は、押さえ金具６４によって上方に押さえられて固定される。基板６１は、２つのボス３４の間に位置しているので、水平面に対して略直角の姿勢を安定して保つことができる。
【００７９】
また、本実施の形態では、図９に示すように、基板６１は、蓋部３０の裏面部３２に接触していない。すなわち、基板６１と裏面部３２との間には隙間が形成されている。これにより、蓋部３０の内部に水などの液体が浸入し、裏面部３２に溜まったとしても、基板６１が液体に接触しにくくなる。したがって、駆動回路部６０の回路のショートを抑えることができる。
【００８０】
本実施の形態では、図７に示したように、スイッチ素子６３及びインジケータ７０の発光素子７１〜７４なども１つの基板６１に実装されている。すなわち、蓋部３０の内部に配置されている回路基板は、基板６１のみである。これにより、蓋部３０の内部の収納スペースを有効に利用することができる。あるいは、蓋部３０の内部空間を小さくすることができるので、蓋部３０の薄型化及び軽量化を実現することができる。
【００８１】
［インジケータ］
インジケータ７０は、給水器１の状態に関する情報を表示する。インジケータ７０は、複数の発光素子を含んでいる。複数の発光素子は、発光波長が互いに異なる第１発光素子及び第２発光素子を含んでいる。本実施の形態では、図２に示すように、インジケータ７０は、４つの発光素子７１〜７４を含んでいる。
【００８２】
４つの発光素子７１〜７４は、可視光を発するＬＥＤなどの固体発光素子である。本実施の形態では、発光素子７１及び発光素子７３は、第１発光素子の一例であり、赤色光を発する。発光素子７２及び発光素子７４は、第２発光素子の一例であり、緑色光を発する。
【００８３】
本実施の形態では、図６に示すように、４つの発光素子７１〜７４は、中央にスイッチ素子６３を挟んで、直線上に並んで配置されている。２つの発光素子７１及び７２は、主に電源に関する情報を示し、２つの発光素子７３及び７４は、主にランプ４１に関する情報を示す。
【００８４】
なお、インジケータ７０が含む発光素子の数、配置、各々の発光波長（発光色）は、これらに限定されない。例えば、インジケータ７０は、２個のみの発光素子を含んでいてもよく、５個以上の発光素子を含んでもよい。また、４つの発光素子７１〜７４は、直線上ではなく、２行２列のマトリクス状に配置されていてもよい。４つの発光素子７１〜７４は、全ての発光波長が同じでもよく、あるいは、全ての発光波長が異なっていてもよい。
【００８５】
４つの発光素子７１〜７４は、各々の点消灯の態様の組み合わせによって複数の情報を表示する。点消灯の態様には、連続点灯、点滅点灯、及び、消灯が含まれる。連続点灯は、所定の輝度での点灯が連続（継続）している状態である。点滅点灯は、高輝度と低輝度（又は消灯）とを周期的に繰り返している状態である。消灯は、点灯していない（輝度が０）状態である。
【００８６】
４つの発光素子７１〜７４は、駆動回路部６０に設けられた表示制御回路によって制御される。４つの発光素子７１〜７４は、表示制御回路によって、各々の点消灯の態様を個別に制御される。
【００８７】
４つの発光素子７１〜７４によって表示される複数の情報は、紫外線光源部４０による液体の殺菌状態に関する殺菌情報と、紫外線光源部４０の寿命に関する寿命情報とを含んでいる。本実施の形態では、複数の情報は、さらに、外部から駆動回路部６０に供給される電力に関する電力情報、蓋部３０による開口部１１の開閉状態に関する開閉情報、及び、紫外線光源部４０の動作状態に関する動作情報を含んでいる。
【００８８】
図１１は、本実施の形態に係る４つの発光素子７１〜７４の点消灯の態様と、給水器１の状態との対応関係を示す図である。図１１に示すように、複数の発光素子７１〜７４は、ユーザ操作が行われたときに、給水器１の状態に応じた態様で点灯又は消灯する。
【００８９】
（ｉ）ユーザが蓋部３０を開けたとき、すなわち、蓋部３０を容器部１０から取り外したとき、４つの発光素子７１〜７４は、全て消灯する。
【００９０】
（ｉｉ）ユーザが容器部１０に開口部１１を介して注水するとき、４つの発光素子７１〜７４は、全て消灯する。
【００９１】
（ｉｉｉ）ユーザがプラグを蓋部３０に接続したとき、具体的には、駆動回路部６０に電力が供給されたとき、４つの発光素子７１〜７４は、電力情報を表示する。電力情報には、供給された電力が正常（ランプ４１を点灯させることが可能）であることを示す情報、及び、供給された電力が異常（ランプ４１を点灯させることが不可能）であることを示す情報が含まれる。４つの発光素子７１〜７４はそれぞれ、電力情報（供給された電力状態）に対応付けられた態様で点灯又は消灯する。
【００９２】
具体的には、（ａ）供給された電力が正常である場合には、４つの発光素子７１〜７４は、全て消灯している。（ｂ）供給された電力が異常である場合には、発光素子７１は、赤色光を点滅点灯し、発光素子７２〜７４は、消灯している。
【００９３】
（ｉｖ）ユーザが蓋部３０を閉じたとき、すなわち、蓋部３０を容器部１０に取り付けたとき、４つの発光素子７１〜７４は、開閉情報を表示する。開閉情報には、蓋部３０が完全に閉じられていることを示す情報、及び、蓋部３０が不完全に閉じられていることを示す情報が含まれる。４つの発光素子７１〜７４はそれぞれ、開閉情報（蓋部３０の開閉状態）に対応付けられた態様で点灯又は消灯する。
【００９４】
具体的には、（ａ）蓋部３０が完全に閉じられている場合、発光素子７２は、緑色光を連続点灯し、発光素子７１、７３及び７４は、消灯している。この状態は、電源スイッチ９１が押下されたときに紫外光を照射可能なスタンバイ状態に相当する。すなわち、駆動回路部６０は、点灯可能モードを実行中である。
【００９５】
（ｂ）蓋部３０が不完全に閉じられている場合、発光素子７２は、緑色光を点滅点灯し、発光素子７１、７３及び７４は、消灯している。この状態は、電源スイッチ９１が押下されたとしても紫外光を照射できない状態である。すなわち、駆動回路部６０は、点灯禁止モードを実行中である。
【００９６】
（ｖ）電源スイッチ９１が押されたとき、４つの発光素子７１〜７４は、動作情報を表示する。動作情報には、紫外線光源部４０のランプ４１が点灯していることを示す情報、及び、ランプ４１が点灯しないことを示す情報が含まれる。４つの発光素子７１〜７４はそれぞれ、動作情報（紫外線光源部４０の動作状態）に対応付けられた態様で点灯又は消灯する。
【００９７】
具体的には、（ａ）ランプ４１が点灯した場合、発光素子７２は、緑色光を連続点灯し、発光素子７４は、緑色光を点滅点灯する。発光素子７１及び７３は、消灯している。（ｂ）ランプ４１が点灯しない場合、発光素子７２は、緑色光を連続点灯し、発光素子７３は、赤色光を点滅点灯する。発光素子７１及び７４は、消灯している。
【００９８】
（ｖｉ）ユーザが待機中であるとき、すなわち、電源スイッチ９１を押した後、ユーザが給水器１を放置している期間では、４つの発光素子７１〜７４は、殺菌情報を表示する。殺菌情報には、液体が未殺菌であることを示す情報、液体を殺菌中であることを示す情報、及び、液体が殺菌済みであることを示す情報が含まれる。４つの発光素子７１〜７４はそれぞれ、殺菌情報（液体の殺菌状態）に対応付けられた態様で点灯又は消灯する。
【００９９】
具体的には、（ａ）液体を殺菌中である場合、発光素子７２は、緑色光を連続点灯し、発光素子７４は、緑色光を点滅点灯する。発光素子７１及び７３は、消灯している。（ｂ）殺菌が完了する前に、処理が中止になった場合、４つの発光素子７１〜７４は、全て消灯している。例えば、停電若しくはプラグ抜けなどによって電力が供給されなくなった場合、又は、ランプ４１若しくは駆動回路部６０が故障した場合に、処理が中止になる。このとき、液体の殺菌は完了していない。
【０１００】
（ｖｉｉ）ユーザが電源スイッチ９１を押してから、所定期間経過後に給水器１の状態を確認したとき、殺菌が完了している場合、発光素子７２及び７４は、緑色光を連続点灯し、発光素子７１及び７３は、消灯している。
【０１０１】
以上のように、図１１に示す例では、４つの発光素子７１〜７４の点消灯の態様の組み合わせとして、８つのパターン（重複を含めると１１個のパターン）が示されている。これにより、インジケータ７０（４つの発光素子７１〜７４）は、８つの情報を表示する。
【０１０２】
例えば、発光素子７１が点滅点灯し、発光素子７２〜７４が消灯しているときには（図１１における（ｉｉｉ）の（ａ））、ユーザは、供給される電力に異常があることを知ることができる。また、発光素子７２が連続点灯し、発光素子７１、７３及び７４が消灯しているときには（図１１における（ｉｖ）の（ａ））、ユーザは、蓋部３０が完全に閉じられており、給水器１はスタンバイ状態にあることが分かる。
【０１０３】
なお、４つの発光素子７１〜７４の全てが消灯しているときは、（ｉ）蓋部３０が開けられている場合、（ｉｉ）ユーザが水を注入している場合、（ｉｉｉ）の（ａ）駆動回路部６０に正常な電力が供給されている場合、（ｖｉ）の（ｂ）処理が途中で停止された場合の４つの状態が考えられる。いずれの場合においても、液体は未殺菌である。
【０１０４】
つまり、４つの発光素子７１〜７４の全てが消灯している場合には、ユーザは、液体が未殺菌であることを知ることができる。したがって、容器部１０に貯められた液体をそのまま使用するのを控えることができる。一方で、発光素子７２及び７４が連続点灯し、発光素子７１及び７３が消灯している場合には、ユーザは、液体が殺菌済みであることを知ることができる。
【０１０５】
このように、ユーザは、４つの発光素子７１〜７４の点消灯の態様を確認することで、液体の殺菌状態などを知ることができる。
【０１０６】
本実施の形態では、４つの発光素子７１〜７４は、さらに、紫外線光源部４０の寿命に関する寿命情報を表示する。紫外線光源部４０のランプ４１には寿命がある。すなわち、ランプ４１は、充分な殺菌効果を得るための使用回数に上限がある。寿命情報には、紫外線光源部４０の使用回数（ランプ４１の点灯回数）が予め定められた第１回数（具体的には、使用回数の上限）より多いことを示す情報、及び、使用回数が、第２回数以上、第１回数以下であることを示す情報が含まれる。第２回数は、第１回数より少ない回数であり、寿命の予告をするための回数である。
【０１０７】
図１２は、本実施の形態に係る４つの発光素子７１〜７４の点消灯の態様と、紫外線光源部４０の寿命との関係を示す図である。図１２に示すように、４つの発光素子７１〜７４は、寿命情報（ランプ４１の使用回数）に対応付けられた態様で点灯又は消灯する。以下では、一例として、ランプ４１の寿命（すなわち、使用回数の上限）が４０００回である場合を説明する。
【０１０８】
４つの発光素子７１〜７４は、外部から駆動回路部６０に電力が供給されたときに、寿命情報を表示する。具体的には、使用回数が０回以上、３９４０回以下の場合、４つの発光素子７１〜７４は、全て消灯している。この場合、ランプ４１の寿命までの使用回数に充分な余裕があるので、ユーザに知らせなくてもよい。したがって、図１１で示したように、４つの発光素子７１〜７４は、液体が未殺菌である状態と同じ態様の点消灯を行っている。
【０１０９】
使用回数が３９４１回（第２回数の一例）以上、４０００回以下である場合、発光素子７１及び７３は、赤色光を点滅点灯し、発光素子７２及び７４は、消灯している。点滅点灯における点滅の回数は、例えば、３回〜５回である。これにより、ユーザは、ランプ４１の寿命が近いことを知ることができる。このように、４つの発光素子７１〜７４がランプ４１の寿命を予告することで、ユーザは、ランプ交換などのランプ切れに対する対策を行うことができる。
【０１１０】
使用回数が４０００回より多い場合、発光素子７１及び７３は、赤色光を連続点灯し、発光素子７２及び７４は、消灯している。これにより、ユーザは、ランプ４１の寿命が切れていることを知ることができるので、液体が充分に殺菌されていない可能性があることを知ることができる。
【０１１１】
このように、４つの発光素子７１〜７４が寿命情報を表示することで、ランプ交換などの対策をユーザに取らせることができる。
【０１１２】
以上のように、本実施の形態に係るインジケータ７０では、４つの発光素子７１〜７４によって、発光素子の個数以上の情報を示すことができる。
【０１１３】
これにより、インジケータ７０として利用される発光素子の個数を減らすことができるので、表示制御回路のサイズを小さくすることができる。また、発光素子の配置に必要な領域が小さくなるので、スペースを有効に利用することができる。また、発光素子の個数が少ないので、放熱設計も容易になる。少ない個数の発光素子の点消灯の態様を適宜組み合わせることで、消費電力を低減することができる。また、部品点数が少なくなるので、給水器１の製造コストを削減することができる。
【０１１４】
なお、４つの発光素子７１〜７４によって表示する情報は、図１１及び図１２に示す情報に限らない。例えば、４つの発光素子７１〜７４は、容器部１０に貯められる液体の量に応じた情報を表示してもよい。具体的には、４つの発光素子７１〜７４は、液体の量が所定量より少ない場合に所定の態様で発光することで、液体の補充をユーザに促すことができる。
【０１１５】
［窓部］
窓部８０は、紫外線を可視光に変換する波長変換材を含んでいる。本実施の形態では、窓部８０は、蓋部３０に設けられている。窓部８０は、容器部１０内の紫外線光源部４０が紫外線を照射しているか否かを確認するために設けられている。
【０１１６】
図１３は、図３の破線ＸＩＩＩで囲まれた部分を拡大して示す本実施の形態に係る給水器１の断面図である。具体的には、図１３は、窓部８０の断面を示している。図１４は、本実施の形態に係る給水器１の窓部８０を通過する光の一例を示す図である。
【０１１７】
本実施の形態では、図１３に示すように、窓部８０は、孔部８１と、カバー部材８２と、透光性部材８３と、反射部材８４とを有する。
【０１１８】
孔部８１は、蓋部３０を表面から裏面に向かう方向（ｚ軸方向）に貫通する。なお、孔部８１内は、透光性を有する樹脂材料又はガラス材料で充填されてもよい。本実施の形態では、孔部８１の開口形状（カバー部材８２の平面視形状に対応する）は、図２に示すように略矩形であるが、これに限らない。孔部８１の開口形状は、円形又は楕円形などでもよい。
【０１１９】
図１３に示すように、孔部８１は、蓋部３０の裏面部３２の一部が表面部３１に向かって筒状に延設されることで形成されている。あるいは、孔部８１は、表面部３１の一部が裏面部３２に向かって筒状に延設されることで形成されていてもよい。また、孔部８１は、蓋部３０とは別体で形成されていてもよい。
【０１２０】
カバー部材８２は、孔部８１の外側の開口に設けられている。カバー部材８２は、複数の波長変換材を内部に含有している。複数の波長変換材は、具体的には、複数の蛍光体（蛍光体粒子）である。蛍光体は、紫外線を緑色光に変換する。波長変換材として、例えば、ＬＡＰ蛍光体（セリウム、テルビウム賦活リン酸ランタン蛍光体；ＬａＰＯ４：Ｃｅ３＋，Ｔｂ３＋）を利用することができ、ＬＡＰ蛍光体は、３００ｎｍ以下の波長の紫外線を受けた場合に、約５５０ｎｍにピーク波長を有する蛍光（緑色光）を発する。緑色光は、人間にとって視感度の高い光であるので、紫外線の照射状況を確認しやすくすることができる。
【０１２１】
カバー部材８２は、図１３に示すように、複数の波長変換材を含有する波長変換部８２ａと、波長変換材を含有しない透過部８２ｂとを有する。
【０１２２】
波長変換部８２ａは、透過部８２ｂを囲むように環状に形成されている。本実施の形態では、図２に示すように、波長変換部８２ａの平面視形状は、矩形環形状である。波長変換部８２ａと透過部８２ｂとの平面視における配置及び形状は、これらに限定されない。例えば、平面視形状が矩形の波長変換部８２ａと平面視形状が矩形の透過部８２ｂとが並んで配置されていてもよい。
【０１２３】
波長変換部８２ａは、板状のガラス材料又は樹脂材料の所定の領域に、複数の蛍光体粒子を分散させることで形成される。これにより、図１４に示すように、透過部８２ｂでは紫外線ＵＶ３が吸収されるのに対して、波長変換部８２ａでは紫外線ＵＶ１及びＵＶ２が蛍光体粒子に照射される。蛍光体粒子は、紫外線ＵＶ１及びＵＶ２によって励起されて緑色光ＧＬ１及びＧＬ２を発する。
【０１２４】
なお、例えば、カバー部材８２は、紫外線を遮断するガラス板から形成され、波長変換部８２ａでは、透過部８２ｂよりもガラス板の厚さが薄く形成され、内部に複数の蛍光体粒子が分散されていてもよい。波長変換部８２ａと透過部８２ｂとは、別体で形成されていてもよい。
【０１２５】
透過部８２ｂは、紫外線を遮断し、可視光を透過する。これにより、透過部８２ｂを介して、容器部１０の内部を外から見ることができる。上述したように、紫外線光源部４０は、紫外線を照射する際に、弱いながらも青色光を発する。発せられた青色光ＢＬ１及びＢＬ２は、図１４に示すように、透過部８２ｂを透過して、外部に出射される。紫外線光源部４０が点灯している場合に、透過部８２ｂを介して容器部１０の内部を覗き込んだとき、青色光ＢＬ１及びＢＬ２を確認することができる。
【０１２６】
カバー部材８２には、可視光を拡散（散乱）させる拡散粒子が含まれていてもよい。これにより、窓部８０の直上方向だけでなく、斜め上方などの離れた位置から窓部８０（カバー部材８２）の発光を確認することができる。なお、カバー部材８２の表面に凹凸を形成することで、可視光を拡散させてもよい。凹凸は、例えば、シボ加工などにより形成することができる。
【０１２７】
透光性部材８３は、紫外線光源部４０から発せられる紫外光及び青色光を透過する。透光性部材８３は、蓋部３０の裏面に孔部８１の内側の開口に設けられている。透光性部材８３は、例えば、ガラス材料から形成される。透光性部材８３は、容器部１０に貯められる液体が孔部８１に浸入するのを抑制する。これにより、蓋部３０の内部に配置された駆動回路部６０に液体が接触するのを抑制することができる。
【０１２８】
反射部材８４は、紫外線光源部４０から発せられる紫外光及び青色光を反射する。例えば、図１４には、紫外光ＵＶ２が反射部材８４によって反射されている例を示している。反射部材８４は、孔部８１の側面に沿って設けられている。これにより、反射部材８４は、孔部８１を通過する紫外光及び青色光が蓋部３０に吸収されるのを抑制することができる。反射部材８４は、例えば、アルミニウムなどの金属膜である。
【０１２９】
なお、本実施の形態では、窓部８０は、蓋部３０を貫通するように設けているが、これに限らない。窓部８０は、容器部１０を貫通するように設けられていてもよい。具体的には、孔部８１が容器部１０の外壁を貫通していてもよい。例えば、窓部８０を容器部１０の側壁に設けることで、紫外線光源部４０のランプ４１を直接確認することができる。
【０１３０】
［表示パネル］
表示パネル９０は、蓋部３０の上面に設けられたパネル（化粧板）である。表示パネル９０は、平面視において、駆動回路部６０のスイッチ素子６３、インジケータ７０及び窓部８０を含む領域を覆うように設けられている。具体的には、表示パネル９０は、発光素子７１〜７４及び窓部８０の各々に対応する開口を有し、発光素子７１〜７４及び窓部８０からの光を通過させる。
【０１３１】
表示パネル９０は、スイッチ素子６３に対応する位置に電源スイッチ９１を有する。電源スイッチ９１は、押下式のボタンスイッチである。電源スイッチ９１が押されたときに、スイッチ素子６３の被押下部６３ｂが押し下げられる。これにより、駆動回路部６０が点灯可能モードである場合は、電源スイッチ９１が押されたときに、紫外線光源部４０が紫外線の照射を開始し、液体の殺菌が行われる。
【０１３２】
［効果など］
以上のように、本実施の形態に係る給水器１は、内部に注液するための開口部１１を有し、かつ、液体が貯められる容器部１０と、開口部１１を塞ぐための、容器部１０に着脱可能な蓋部３０と、容器部１０の内部に配置され、容器部１０に貯められる液体に紫外線を照射することで、液体を殺菌する紫外線光源部４０と、紫外線光源部４０の点灯及び消灯を制御する駆動回路部６０と、複数の発光素子７１〜７４とを備え、複数の発光素子７１〜７４は、各々の点消灯の態様の組み合わせによって、紫外線光源部４０による液体の殺菌状態に関する殺菌情報、及び、紫外線光源部４０の寿命に関する寿命情報を含む複数の情報を表示する。
【０１３３】
これにより、４つの発光素子７１〜７４によって殺菌情報及び寿命情報を表示するので、例えば、液体が殺菌済みであるのか、未殺菌であるのかをユーザに知らせることができる。したがって、殺菌された液体の適切な利用をユーザに促すことができる。
【０１３４】
また、インジケータ７０として利用される発光素子の個数を減らすことができるので、表示制御回路のサイズを小さくすることができる。また、発光素子の配置に必要な領域が小さくなるので、スペースを有効に利用することができる。また、発光素子の個数が少ないので、放熱設計も容易になる。少ない個数の発光素子の点消灯の態様を適宜組み合わせることで、消費電力を低減することができる。また、部品点数が少なくなるので、給水器１の製造コストを削減することができる。
【０１３５】
また、例えば、複数の情報は、さらに、蓋部３０による開口部１１の開閉状態に関する開閉情報を含んでいる。
【０１３６】
これにより、蓋部３０の開閉状態をユーザに知らせることができるので、蓋部３０が閉じられていない場合には、蓋部３０を閉じるようにユーザに促すことができる。したがって、給水器１の適切な使用を促すことができ、故障などの発生を抑制することができる。
【０１３７】
また、例えば、複数の発光素子７１〜７４は、蓋部３０を容器部１０に取り付けたときに、開閉情報を表示する。
【０１３８】
これにより、蓋部３０を閉じたときに開閉状態をユーザに知らせることができるので、より確実にユーザに蓋部３０の開閉状態を知らせることができる。例えば、蓋部３０が不完全に閉じられている場合には、ユーザに完全に蓋部３０を閉じるように促すことができる。
【０１３９】
また、例えば、複数の情報は、さらに、紫外線光源部４０の動作状態に関する動作情報を含んでいる。
【０１４０】
これにより、４つの発光素子７１〜７４によって動作情報を表示するので、例えば、ランプ４１が点灯しているのか、点灯していないのかをユーザに知らせることができる。したがって、ランプ４１が点灯しなかったことに気付かず、ユーザが未殺菌の液体を利用してしまうことを抑制することができる。
【０１４１】
また、例えば、複数の発光素子７１〜７４は、電源スイッチ９１が押されたときに、動作情報を表示する。
【０１４２】
これにより、電源スイッチ９１を押したときに紫外線光源部４０の動作状態をユーザに知らせることができるので、より確実にユーザに動作状態を知らせることができる。例えば、ランプ４１が点灯していない場合には、ユーザに殺菌ができないことを知らせることができるので、ユーザが未殺菌の液体を利用してしまうことを抑制することができる。
【０１４３】
また、例えば、寿命情報は、紫外線光源部４０の使用回数が予め定められた第１回数より多いことを示す情報と、紫外線光源部４０の使用回数が、第１回数より少ない第２回数以上、第１回数以下であることを示す情報とを含んでいる。
【０１４４】
これにより、ユーザにランプ４１が寿命であること、及び、寿命が近いこと（予告）を知らせることができる。したがって、ランプ交換などの対策をユーザに促すことができるので、必要なときに突然ランプが寿命で液体の殺菌ができないという事態を抑制することができる。よって、ユーザ利便性を高めることができる。
【０１４５】
また、例えば、複数の発光素子７１〜７４は、外部から駆動回路部６０に電力が供給されたときに、寿命情報を表示する。
【０１４６】
これにより、例えば、プラグに接続した場合などに寿命情報を知らせることができるので、より確実にユーザにランプ４１の寿命を知らせることができる。
【０１４７】
また、例えば、複数の情報は、さらに、外部から駆動回路部６０に供給される電力に関する電力情報を含んでいる。
【０１４８】
これにより、供給された電力の状態をユーザに知らせることができるので、例えば、給水器１が故障しているのか、供給された電力に異常があるのかをユーザは判断することができる。したがって、新興国などの電力供給が不安定な地域では特に有用である。
【０１４９】
また、例えば、複数の発光素子７１〜７４は、外部電源と給水器１とがプラグを介して接続されたときに、電力情報を表示する。
【０１５０】
これにより、例えば、ユーザがプラグを給水器１に接続した場合などに電力情報を知らせることができるので、より確実にユーザに電力の状態を知らせることができる。
【０１５１】
また、例えば、殺菌情報は、液体が未殺菌であることを示す情報と、液体を殺菌中であることを示す情報と、液体が殺菌済みであることを示す情報とを含んでいる。
【０１５２】
これにより、液体が未殺菌であるのか、殺菌中であるのか、殺菌済みであるのかを知らせることができるので、ユーザが誤って未殺菌の液体を利用してしまうことを抑制することができる。
【０１５３】
また、例えば、複数の発光素子７１〜７４は、発光波長が互いに異なる第１発光素子及び第２発光素子を含んでいる。
【０１５４】
これにより、複数の発光素子が異なる色の光を発するので、表示を分かりやすくすることができる。
【０１５５】
また、例えば、給水器１は、さらに、容器部１０に貯められた液体を供給するための給水栓部２０を備える。
【０１５６】
これにより、内部に貯められた液体を容易に外部に取り出すことができる。具体的には、蓋部３０を開けることなく、液体を外部に取り出すことができるので、菌などが容器部１０の内部に入るのを抑制することができる。
【０１５７】
（変形例１）
以下では、上記の実施の形態に係る給水器１の変形例１について説明する。
【０１５８】
図１５は、本変形例に係る給水器１０１の概観斜視図である。図１５に示すように、本変形例に係る給水器１０１は、実施の形態１に係る給水器１と比較して、さらに、情報表示部１９５を備える点が異なっており、その他の構成は同じである。このため、以下の説明では、実施の形態と異なる点を中心に説明し、同じ点の説明を省略又は簡略化する。
【０１５９】
情報表示部１９５は、インジケータ７０が含む４つの発光素子７１〜７４の各々の点消灯の態様の組み合わせと、当該組み合わせが意味する複数の情報とを対応付けて表示する。具体的には、情報表示部１９５は、図１１及び図１２で示した点消灯の態様と給水器１０１の状態などとの対応関係をユーザに提示する。
【０１６０】
情報表示部１９５は、図１５に示すように、容器部１０の外側面に付されている。例えば、情報表示部１９５は、図１１及び図１２に示すテーブルが印刷されたシール材である。情報表示部１９５は、蓋部３０の外側面に付されていてもよい。
【０１６１】
本変形例では、図１１及び図１２に示したように、４つの発光素子７１〜７４で１１パターン（重複を含めないと１４パターン）の状態を表している。このように、少ない個数の発光素子で、発光素子の個数以上の状態を表すため、どの点消灯の態様が、どんな状態を表しているのかが分かりにくくなる恐れがある。
【０１６２】
これに対して、本変形例に係る給水器１０１によれば、容器部１０又は蓋部３０の外側面に情報表示部１９５が付されているので、ユーザは、複数の発光素子７１〜７４がどのような情報を表示しているのかを簡単に把握することができる。これにより、ユーザ利便性を高めることができる。
【０１６３】
（変形例２）
以下では、上記の実施の形態に係る給水器１の変形例２について説明する。
【０１６４】
図１６は、本変形例に係る給水器１０２の断面図である。図１６に示すように、本変形例に係る給水器１０２は、実施の形態に係る給水器１と比較して、窓部８０の代わりに窓部１８０を備える点が異なっており、その他の構成は同じである。このため、以下の説明では、実施の形態と異なる点を中心に説明し、同じ点の説明を省略又は簡略化する。
【０１６５】
図１７は、図１６の破線ＸＶＩＩで囲まれた部分を拡大して示す実施の形態に係る給水器１の断面図である。図１７に示すように、窓部１８０は、シャッター部１８５を有する。
【０１６６】
シャッター部１８５は、カバー部材８２の光出射側に設けられた開閉自在の遮光性のシャッター部である。具体的には、シャッター部１８５は、可視光を遮断する。例えば、シャッター部１８５は、蓋部３０と同様に、ポリプロピレンなどの遮光性の樹脂材料を用いて形成される。
【０１６７】
本変形例では、シャッター部１８５は、スライド式である。図１８は、本変形例に係るシャッター部１８５が開けられた状態の窓部１８０を示す断面図である。図１７及び図１８に示すように、シャッター部１８５は、カバー部材８２の上面及び蓋部３０の表面部３１の上面をスライド可能である。
【０１６８】
なお、シャッター部１８５が開けられた状態とは、図１８に示すように、シャッター部１８５がカバー部材８２を覆っておらず、カバー部材８２を外部から視認可能な状態を意味する。逆に、シャッター部１８５が閉じられた状態とは、図１７に示すように、シャッター部１８５がカバー部材８２を覆い隠しており、カバー部材８２を外部から視認不可能な状態を意味する。
【０１６９】
窓部１８０は、さらに、規制部１８７及び１８９を備える。
【０１７０】
規制部１８７は、シャッター部１８５が開けられた状態でシャッター部１８５の上面を覆う位置に位置している。つまり、図１７に示すように、規制部１８７は、蓋部３０の上面との間にシャッター部１８５を収容するための空間１８８を形成する。図１８に示すように、シャッター部１８５が開けられた状態では、規制部１８７がシャッター部１８５の上面を覆うことで、シャッター部１８５が蓋部３０から脱離するのを抑制することができる。
【０１７１】
規制部１８９は、シャッター部１８５を閉じる際に、シャッター部１８５のスライドを規制する部分である。本変形例では、規制部１８９は、表示パネル９０の端部である。
【０１７２】
図１７に示すように、シャッター部１８５を閉じた場合に、シャッター部１８５の先端が規制部１８９に当接する。このとき、シャッター部１８５の他方の端部は規制部１８７によって覆われている。これにより、シャッター部１８５が閉じられた状態においてもシャッター部１８５の脱離を抑制することができ、より確実に窓部８０からの光を遮ることができる。
【０１７３】
図１７及び図１８に示すように、シャッター部１８５は、凸部１８６を有する。これにより、ユーザは、凸部１８６をスライド方向に押すことで容易にシャッター部１８５をスライドさせることができる。凸部１８６は、例えば、規制部１８７より上方に突出している。これにより、シャッター部１８５が開けられた状態であっても凸部１８６を容易に押すことができるので、シャッター部１８５の開閉を容易に行うことができる。
【０１７４】
以上のように、本変形例に係る給水器１０２によれば、例えば、窓部１８０は、さらに、カバー部材８２の光出射側に設けられた開閉自在な遮光性のシャッター部１８０を有する。
【０１７５】
これにより、目視による紫外光の照射の確認を望まないユーザにとってはシャッター部１８５を閉じることで、窓部１８０の発光を見えなくすることができる。例えば、夜間に利用する場合など、窓部１８０の発光が目立つ環境下において、より有用である。
【０１７６】
なお、本変形例では、シャッター部１８５がスライド式である例について示したが、これに限らない。シャッター部１８５は、端部がヒンジなどを介して表面部３１に開閉可能に固定された蓋でもよい。あるいは、シャッター部１８５は、取り外し可能な蓋でもよい。
【０１７７】
（実施の形態２）
上記の実施の形態１及び変形例では、据え置きタイプのいわゆるウォータージャグを例に説明したが、これに限らない。例えば、本発明に係る殺菌容器は、携帯可能なマグとして実現することもできる。
【０１７８】
図１９は、本実施の形態に係る蓋付きマグ２０１の概観斜視図である。図２０は、本実施の形態に係る蓋付きマグ２０１の蓋部２３０を取り外した状態を示す概観斜視図である。
【０１７９】
蓋付きマグ２０１は、液体を貯めるための携帯可能な容器（いわゆる水筒）である。蓋付きマグ２０１は、実施の形態１に係る給水器１と同様に、液体に紫外線（ＵＶ光）を照射することで当該液体を殺菌する。図１９に示すように、蓋付きマグ２０１は、容器部２１０と、蓋部２３０と、紫外線光源部２４０と、窓部２８０と、表示パネル２９０とを備える。
【０１８０】
容器部２１０は、液体を貯めるための有底筒状の容器である。容器部２１０は、内部空間に液体を注入するための開口部２１１を有する。容器部２１０には、開口部２１１を介して、水道水などの未殺菌液が注入され、注入された未殺菌液が貯められる。貯められた未殺菌液には、紫外線光源部２４０によって紫外線が照射された後、開口部２１１を介して外部に供給（排出）される。つまり、本実施の形態では、開口部２１１は、注液口と供給口とを兼ねる。具体的には、開口部２１１は、飲用口を兼ねる。
【０１８１】
容器部２１０の内部空間の容量は、例えば５００ｍＬであるが、これに限定されない。容器部２１０は、例えば、人間が片手又は両手で持てる程度の大きさである。
【０１８２】
蓋部２３０は、開口部２１１を塞ぐための、容器部２１０の着脱可能な蓋である。蓋部２３０は、開口部２１１を塞ぐことで、容器部２１０の内部空間を密閉する。蓋部２３０の裏面には、図１９に示すように、紫外線光源部２４０が取り付けられている。蓋部２３０の内部には、図２０に示すように、駆動回路部２６０が配置されている。
【０１８３】
本実施の形態に係る蓋付きマグ２０１は、ユーザに携帯されて、外部からの電力供給を得ることができない屋外などで使用される。このため、蓋部２３０の内部には、バッテリー（図示せず）が設けられている。バッテリーは、例えば、一次電池又は二次電池などである。
【０１８４】
紫外線光源部２４０は、実施の形態１に係る紫外線光源部４０と構成及び機能は同じである。紫外線光源部２４０は、容器部２１０の内部に収まるように、かつ、蓋部２３０の裏面に取り付けられるように、小型化されている。
【０１８５】
紫外線光源部２４０は、容器部２１０の内部に配置され、容器部２１０に貯められる液体に紫外線を照射することで、当該液体を殺菌する。照射する紫外線は、例えば、２００ｎｍ〜４００ｎｍの範囲にピーク波長を有する紫外線である。
【０１８６】
駆動回路部２６０は、実施の形態１に係る駆動回路部６０と構成及び機能は同じである。駆動回路部２６０は、蓋部２３０の内部に収納されるように、駆動回路部６０より大きさが縮小されている。駆動回路部２６０は、外部から供給される電力ではなく、蓋部２３０の内部に配置されたバッテリーからの電力を紫外線光源部２４０に供給する。
【０１８７】
駆動回路部２６０の基板２６１は、実施の形態１と同様に、蓋部２３０が容器部２１０に取り付けられた場合に容器部２１０の底面に傾斜に対して傾斜している。具体的には、基板２６１は、容器部２１０の底面（例えば、水平面）に直交する方向に沿って（いわゆる縦置き）配置されている。
【０１８８】
なお、図２０に示すように、蓋部２３０の上面が平面であるので、蓋部２３０が逆さまにして水平面に置かれた場合でも、基板２６１は、水平面に対して直交している。このため、蓋部２３０が逆さまに置かれた場合でも、蓋部２３０内に浸入した液体は、基板２６１に当たりにくい。これにより、回路のショートを抑えることができる。
【０１８９】
インジケータ２７０は、実施の形態１に係るインジケータ７０と構成及び機能は同じである。なお、蓋付きマグ２０１の蓋部２３０にはバッテリーが内蔵されているので、バッテリーの残量情報を表示してもよい。残量情報は、例えば、充分に充電されている（すなわち、紫外線の照射ができる）ことを示す情報、及び、残量が実質的にゼロである（すなわち、紫外線の照射ができない）ことを示す情報などを含んでいる。
【０１９０】
例えば、図１１に示すように、プラグを接続したときの表示を残量情報に適用することができる。具体的には、バッテリーが充分に充電されている場合には、４つの発光素子７１〜７４は、全て消灯する。バッテリーの残量が実質的にゼロである場合には、発光素子７１は、赤色光を点滅点灯し、発光素子７２〜７４は、消灯する。
【０１９１】
また、本実施の形態では、インジケータ２７０は、電源スイッチ２９１が押されたときに、寿命情報を表示する。具体的には、インジケータ２７０は、電源スイッチ２９１が押されたとき、寿命情報を表示した後、実施の形態１と同様に動作情報を表示し、その後、殺菌情報を表示する。なお、寿命情報を表示するタイミングは、これに限らず、例えば、蓋部２３０を閉じたときでもよい。
【０１９２】
窓部２８０は、実施の形態１に係る窓部８０と構成及び機能は同じである。窓部２８０は、紫外線を可視光に変換する波長変換材を含んでいる。これにより、容器部２１０の内部で紫外線が点灯している場合、紫外線が波長変換材に照射されて、窓部２８０から可視光（例えば、緑色光）が出射される。つまり、窓部２８０が緑色に光って見えるので、ユーザは、窓部２８０の発光を確認することで、紫外線が液体に照射されていることを確認することができる。
【０１９３】
表示パネル２９０は、実施の形態１に係る表示パネル９０と構成及び機能は同じである。表示パネル２９０は、蓋部２３０の大きさに合わせて、表示パネル９０より縮小されている。
【０１９４】
以上のように、本実施の形態に係る蓋付きマグ２０１は、内部に注液するための開口部２１１を有し、かつ、液体が貯められる容器部２１０と、開口部２１１を塞ぐための、容器部２１０に着脱可能な蓋部２３０と、容器部２１０の内部に配置され、容器部２１０に貯められる液体に紫外線を照射することで、液体を殺菌する紫外線光源部２４０と、紫外線光源部２４０の点灯及び消灯を制御する駆動回路部２６０と、複数の発光素子７１〜７４とを備え、複数の発光素子７１〜７４は、各々の点消灯の態様の組み合わせによって、紫外線光源部２４０による液体の殺菌状態に関する殺菌情報、及び、紫外線光源部２４０の寿命に関する寿命情報を含む複数の情報を表示し、開口部２１１は、飲用口を兼ねる。
【０１９５】
これにより、実施の形態１と同様に、殺菌情報及び寿命情報を含む複数の情報を表示する複数の発光素子を備えることで、実施の形態１に係る給水器１と同様の効果を奏することができる。
【０１９６】
（その他）
以上、本発明に係る殺菌容器について、上記実施の形態及びその変形例に基づいて説明したが、本発明は、上記の実施の形態に限定されるものではない。
【０１９７】
例えば、上記の実施の形態では、カバー部材８２が透過部８２ｂと波長変換部８２ａとを有する例について説明したが、これに限らない。例えば、カバー部材８２の全体に波長変換材が分散されていてもよい。すなわち、カバー部材８２の全体が波長変換部８２ａでもよい。
【０１９８】
この場合、内部からの青色光がカバー部材８２を透過しないので、直接、内部の様子を確認することは難しい。しかしながら、紫外線光源部４０が点灯している期間ではカバー部材８２の全体が発光するので、より明るい発光を得ることができ、紫外線の照射状態をより容易に確認することができる。
【０１９９】
また、例えば、上記の実施の形態に係る給水器１は、スピーカを備えてもよい。蓋部３０の開閉、電源スイッチの押下、紫外線の照射の開始及び終了などを、スピーカからの発信音によってユーザに知らせてもよい。
【０２００】
また、例えば、上記の実施の形態に係る給水器１は、容器部１０又は蓋部３０に固定された取手部が設けられていてもよい。これにより、給水器１を容易に持ち運ぶことができる。
【０２０１】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０２０２】
１、１０１、１０２  給水器（殺菌容器）
１０、２１０  容器部
１１、２１１  開口部
２０  給水栓部（供給栓部）
３０、２３０  蓋部
４０、２４０  紫外線光源部
６０、２６０  駆動回路部
６１、２６１  基板
７０、２７０  インジケータ
７１、７２、７３、７４  発光素子
１９５  情報表示部
２０１  蓋付きマグ（殺菌容器）
【図１】
2017159246.tif 000003
【図２】
2017159246.tif 000004
【図３】
2017159246.tif 000005
【図４】
2017159246.tif 000006
【図５】
2017159246.tif 000007
【図６】
2017159246.tif 000008
【図７】
2017159246.tif 000009
【図８】
2017159246.tif 000010
【図９】
2017159246.tif 000011
【図１０】
2017159246.tif 000012
【図１１】
2017159246.tif 000013
【図１２】
2017159246.tif 000014
【図１３】
2017159246.tif 000015
【図１４】
2017159246.tif 000016
【図１５】
2017159246.tif 000017
【図１６】
2017159246.tif 000018
【図１７】
2017159246.tif 000019
【図１８】
2017159246.tif 000020
【図１９】
2017159246.tif 000021
【図２０】
2017159246.tif 000022